(57)【要約】【課題】小型のストッパによりユーザが意図せずに開閉ドアが開かれることを防止できる画像形成装置を提供する。【解決手段】シートに画像を形成する画像形成装置Ａにおいて、画像形成装置の装置本体と、装置本体に開閉可能に設けられている開閉部材１２と、装置本体に支持されており、第１の位置と前記第１の位置とは装置本体との位置関係が異なる第２の位置とに移動可能であり、原稿の画像を読み取る画像読取部１３と、装置本体に設けられており、画像読取部１３の移動と連動して移動するストッパ部材１００と、を有し、画像読取部１３が第１の位置に移動する時、ストッパ部材１００は、開閉部材１２が閉鎖位置から開放位置へ移動するのを規制する規制位置に移動し、画像読取部１３が第２の位置に移動する時、ストッパ部材１００は、開閉部材１２が閉鎖位置から開放位置へ移動するのを許容する許容位置に移動する。【選択図】図４
2017167530.tif 000002
【特許請求の範囲】
【請求項１】
シートに画像を形成する画像形成装置において、
画像形成装置の装置本体と、
前記装置本体に開閉可能に設けられている開閉部材と、
前記装置本体に支持されており、第１の位置と前記第１の位置とは前記装置本体との位置関係が異なる第２の位置とに移動可能であり、原稿の画像を読み取る画像読取部と、
前記装置本体に設けられており、前記画像読取部の移動と連動して移動するストッパ部材と、
を有し、
前記画像読取部が前記第１の位置に移動する時、前記ストッパ部材は、前記開閉部材が閉鎖位置から開放位置へ移動するのを規制する規制位置に移動し、
前記画像読取部が前記第２の位置に移動する時、前記ストッパ部材は、前記開閉部材が前記閉鎖位置から前記開放位置へ移動するのを許容する許容位置に移動する、
ことを特徴とする画像形成装置。
【請求項２】
前記画像読取部が前記第２の位置から前記第１の位置に移動する時、前記ストッパ部材は、前記画像読取部に押圧されて前記規制位置に移動することを特徴とする請求項１に記載の画像形成装置。
【請求項３】
前記ストッパ部材は前記装置本体に回動可能に設けられており、前記画像読取部の移動と連動して回動することを特徴とする請求項１又は請求項２に記載の画像形成装置。
【請求項４】
前記ストッパ部材が前記規制位置に位置し且つ前記開閉部材が前記開放位置にある状態から前記閉鎖位置に移動させると、前記ストッパ部材が前記規制位置から移動し、前記開閉部材が前記閉鎖位置に到達すると、前記ストッパ部材が前記規制位置に戻ることを特徴とする請求項１乃至請求項３のいずれか１項に記載の画像形成装置。
【請求項５】
前記装置本体は、前記ストッパ部材を付勢する付勢手段を有し、
前記ストッパ部材は、前記画像読取部が前記第１の位置から前記第２の位置に移動すると、前記付勢手段の付勢力によって前記規制位置から前記許容位置に移動することを特徴とする請求項１乃至請求項４のいずれか１項に記載の画像形成装置。
【請求項６】
前記ストッパ部材は、前記画像読取部が前記第１の位置から前記第２の位置に移動すると、前記ストッパ部材の自重によって前記規制位置から前記許容位置に移動することを特徴とする請求項１乃至請求項４のいずれか１項に記載の画像形成装置。
【請求項７】
前記開閉部材は、前記装置本体の内部から排出されたシートを積載するための排出トレイであることを特徴とする請求項１乃至請求項６のいずれか１項に記載の画像形成装置。
【請求項８】
前記装置本体はインターロックスイッチを有し、
シート排出方向に対して直交する方向において、前記インターロックスイッチの可動アーム部は、前記排出トレイのシート積載領域の中央よりも前記ストッパ部材に近い位置に設けられていることを特徴とする請求項７に記載の画像形成装置。
【請求項９】
前記可動アーム部が、前記シート積載領域よりも前記ストッパ部材に近い位置に設けられていることを特徴とする請求項８に記載の画像形成装置。
【請求項１０】
前記排出トレイには、前記シート排出方向に前記シート積載領域を延長するスライド式の延長トレイが設けられていることを特徴とする請求項８又は請求項９に記載の画像形成装置。
【発明の詳細な説明】
【技術分野】
【０００１】
本発明は、例えば電子写真複写機、電子写真プリンタ（例えばレーザビームプリンタ、ＬＥＤプリンタ等）、インクジェットプリンタ、ファクシミリ装置などの画像形成装置に関する。
【背景技術】
【０００２】
画像形成装置においては、例えばプロセスカートリッジを着脱するための開口を開閉するドアなど、装置本体に対して開閉可能な開閉部材を有するものがある。また、画像形成装置の内側から排出されたシートを積載するための排出トレイが、この開閉部材を兼ねている構成が知られている。
【０００３】
このような開閉部材に関しては、ユーザが意図せずに開かれてしまうおそれがある。特に、排出トレイが開閉部材を兼ねているような場合には、排出トレイ上のシートを取り出すときや、排出トレイの長さを延長させる延長トレイを操作する時に、ユーザが意図せず排出トレイを開いてしまうおそれがある。
【０００４】
画像形成装置の動作中に開閉部材が開いてしまった場合、装置の動作が停止し、その結果として搬送中のシートが画像形成装置の内部に滞留する。従って、画像形成装置の動作復帰のためには、装置の内部に滞留したシートの除去、装置の電源入れ直し等が必要になる。
【０００５】
そこで従来から、ユーザが意図せずに開閉部材が開かれることを防止する構成が提案されている。例えば特許文献１では、排出トレイが開閉部材を兼ねた構成において、排出トレイが開かれることを防止するストッパを設け、ストッパを画像形成装置の上部に設けられた画像読取ユニットと当接させて排出トレイが開かれることを防止する構成が記載されている。なお、特許文献１に記載の構成では、画像読取ユニットが水平方向に回動することで、ストッパと画像読取ユニットとが離間して排出トレイがロック解除状態となって排出トレイを開くことが可能になる。
【先行技術文献】
【特許文献】
【０００６】
【特許文献１】特開平１１−６９０４６号公報
【発明の概要】
【発明が解決しようとする課題】
【０００７】
しかし特許文献１に記載の構成では、画像形成装置が大型化した場合に画像読取ユニットと排出トレイとの距離が大きくなる。このように、開閉部材とストッパが当接する部材との距離が大きくなると、ストッパをサイズアップする必要があり、部品コストが増加する。
【０００８】
そこで、本発明はこのような現状に鑑みてなされたものであり、小型のストッパによりユーザが意図せずに開閉部材が開かれることを防止できる画像形成装置を提供することを目的とする。
【課題を解決するための手段】
【０００９】
上記目的を達成するための本発明に係る画像形成装置の代表的な構成は、シートに画像を形成する画像形成装置において、画像形成装置の装置本体と、前記装置本体に開閉可能に設けられている開閉部材と、前記装置本体に支持されており、第１の位置と前記第１の位置とは前記装置本体との位置関係が異なる第２の位置とに移動可能であり、原稿の画像を読み取る画像読取部と、前記装置本体に設けられており、前記画像読取部の移動と連動して移動するストッパ部材と、を有し、前記画像読取部が前記第１の位置に移動する時、前記ストッパ部材は、前記開閉部材が閉鎖位置から開放位置へ移動するのを規制する規制位置に移動し、前記画像読取部が前記第２の位置に移動する時、前記ストッパ部材は、前記開閉部材が前記閉鎖位置から前記開放位置へ移動するのを許容する許容位置に移動する、ことを特徴とする。
【発明の効果】
【００１０】
本発明によれば、小型のストッパによりユーザが意図せずに開閉部材が開かれることを防止できる。
【図面の簡単な説明】
【００１１】
【図１】第１実施形態に係る画像形成装置の断面概略図である。
【図２】第１実施形態に係る画像形成装置の斜視図である。
【図３】第１実施形態に係る画像形成装置の排出トレイが閉じた状態の斜視図と断面図である。
【図４】第１実施形態に係る排出トレイを開く動作を説明する断面図である。
【図５】第１実施形態に係る排出トレイを閉じる動作を説明する断面図である。
【図６】第２実施形態に係る画像形成装置の排出トレイが閉じた状態の斜視図と断面図である。
【図７】第２実施形態に係る排出トレイを開く動作を説明する断面図である。
【図８】第２実施形態に係る排出トレイを閉じる動作を説明する断面図である。
【図９】第３実施形態に係る画像形成装置の斜視図である。
【図１０】第３実施形態に係るカートリッジドアを開く動作を説明する断面図である。
【図１１】第３実施形態に係るカートリッジドアを閉じる動作を説明する断面図である。
【図１２】第１実施形態に係るストッパとインターロックスイッチの位置関係を示した図である。
【図１３】第１実施形態に係る排出トレイの一部とインターロックスイッチの関係を示す斜視図である。
【図１４】排出トレイを閉じた状態における、インターロックスイッチの可動アーム部と、ストッパのトレイ当接部と、の位置関係を示した図である。
【発明を実施するための形態】
【００１２】
（第１実施形態）
＜画像形成装置＞
以下、まず本発明の第１実施形態に係る画像形成装置Ａの全体構成を画像形成時の動作とともに図面を参照しながら説明する。なお、本実施形態の画像形成装置Ａは、電子写真方式のレーザビームプリンタを想定している。
【００１３】
画像形成装置Ａはシート（記録媒体）にトナー像を転写する画像形成部と、原稿の画像を読み取る画像読取部と、画像形成部へシートを供給するシート給送部と、シートにトナー像を定着させる定着部と、を備える。
【００１４】
図１に示す様に、画像形成部は、画像形成装置Ａ本体に着脱可能なプロセスカートリッジＰ、レーザスキャナユニット３、転写ローラ５などを備えている。また、プロセスカートリッジＰは、感光体ドラム１（像担持体）、帯電ローラ２、現像装置４などを備える。
【００１５】
また、画像形成装置Ａの上部には、原稿の画像を読み取る画像読取部１３が装置本体に対して上下方向に回動可能に設けられている。すなわち、画像読取部１３は、装置本体に対して回動して移動可能に設けられ、画像読取部１３が開いた位置である第１の位置と（図２（ｂ）参照）、閉じた位置である第２の位置との間を移動可能な部材である。
【００１６】
画像形成に際しては、不図示の制御部がプリント信号を発すると、給送ローラ１０、レジストローラ１１によってシート積載部９又は手差しトレイ７に積載されたシートＳが画像形成部に送り出される。
【００１７】
一方、画像形成部においては、帯電ローラ２に帯電バイアスが印加されることにより、帯電ローラ２と接触する感光体ドラム１の表面が帯電させられる。
【００１８】
その後、レーザスキャナユニット３が、内部に備える光源（不図示）からレーザ光を出射して、感光体ドラム１に照射する。これにより、感光体ドラム１の電位が部分的に低下して画像情報に応じた静電潜像が感光体ドラム１の表面上に形成される。
【００１９】
その後、現像装置４によって感光体ドラム１表面に形成された静電潜像にトナーを付着させてトナー像が形成される。感光体ドラム１表面に形成されたトナー像は、感光体ドラム１と転写ローラ５との間に形成された転写ニップ部に送り込まれる。トナー像が転写ニップ部に到着すると、転写ローラ５にトナーと逆極性の転写バイアスが印加されてトナー像がシートに転写される。
【００２０】
その後、トナー像が転写されたシートは定着装置６に送られ、定着装置６の加熱部と加圧部との間に形成された定着ニップ部において加熱・加圧され、トナー像がシートに定着される。その後、シートは排出ローラ１４によって搬送されて画像読取部１３の下方に配置された排出トレイ１２に排出される。
【００２１】
なお、排出トレイ１２の先端にはシート排出方向にシート積載領域を延長するスライド式の延長トレイ８が設けられており、ユーザが必要に応じて排出トレイ１２の長さを調整することができる。
【００２２】
また、図２に示す様に、画像読取部１３と排出トレイ１２は画像形成装置Ａ本体に対してそれぞれ回動可能に支持され、回動することで開閉する。そして、排出トレイ１２を回動させて開いた状態にすることで、画像形成装置Ａ内部のプロセスカートリッジＰにアクセスすることができる。つまり、本実施形態の排出トレイ１２は、画像形成装置Ａ本体に回動可能に支持され、回動して開閉可能な開閉部材を兼ねている。
【００２３】
また、画像形成装置Ａ本体の内部には、排出トレイ１２の開閉に連動してＯＮ／ＯＦＦするインターロックスイッチＩＲＳＷが設けられており、排出トレイ１２が開いた状態では画像形成装置Ａ本体の動作が停止する。インターロックスイッチＩＲＳＷは、図１２、図１４に示すように、後述するストッパ１００のトレイ当接部１００ｂの近傍に設けられている。図１４は、排出トレイ１２を閉じた状態における、インターロックスイッチＩＲＳＷの可動アーム部ＩＲＳＷａと、後述するストッパ１００のトレイ当接部１００ｂと、の位置関係を示した図である。なお、図１４は画像読取部１３を省略した図であり、排出トレイ１２を鉛直方向の上側から見た図である。図１４に示すように、シート排出方向ＳＤに対して直交する方向（図１において紙面に垂直な方向）において、インターロックスイッチＩＲＳＷの可動アーム部ＩＲＳＷａ（スイッチをＯＮ／ＯＦＦするための可動部）は、排出トレイ１２のシート積載領域（トレイの窪んだ領域）Ｗｄの中央１２ｄｃよりもトレイ当接部１００ｂに近い位置に設けられている。より正確には、インターロックスイッチＩＲＳＷの可動アーム部ＩＲＳＷａは、排出トレイ１２のシート積載領域Ｗｄよりもトレイ当接部１００ｂに近い位置に設けられている。図１４において、番号８´は延長トレイ８をスライドさせて排出トレイ１２に収容した状態を示している。
【００２４】
また、画像読取部１３が閉じた位置に位置し、排出トレイ１２が閉じた状態のとき、画像読取部１３と排出トレイ１２とは干渉しないように設けられている。
【００２５】
＜ストッパ＞
次に、ユーザが意図せずに排出トレイ１２が誤って開かれることを防止するためのストッパ１００（ストッパ部材）について説明する。図３（ａ）は排出トレイ１２が閉じた状態の画像形成装置Ａの斜視図であり、図３（ｂ）は排出トレイ１２近傍の拡大断面図である。
【００２６】
ストッパ１００は、図３に示す様に、画像形成装置Ａによって回転軸１００ａを中心に回動可能に支持されており、尚且つ、付勢手段としてのばね１５により矢印Ｘ方向に付勢されている。また、画像形成装置Ａ本体に設けられた孔部１６を貫通して設けられたトレイ当接部１００ｂを有する。また、画像読取部１３に設けられたストッパ当接部１３ｘと当接離間する当接部１００ｃを備える。
【００２７】
また、排出トレイ１２はストッパ受け部１７を備え、ストッパ受け部１７は、当接部１７ａと、斜面１７ｂを備える。図１３は排出トレイ１２の一部とインターロックスイッチＩＲＳＷの関係を示す斜視図である。図１３に示すように、排出トレイ１２は、ストッパ受け部１７以外に、インターロックスイッチＩＲＳＷの可動アーム部ＩＲＳＷａを押す押圧部１２ｐを有する。なお、図１３は、排出トレイ１２が画像形成装置Ａ本体に対して閉じており、押圧部１２ｐが可動アーム部ＩＲＳＷａを押しており、インターロックスイッチＩＲＳＷがＯＮしている状態（後述する図５（ｃ）の状態）である。
【００２８】
図３（ｂ）に示す様に、排出トレイ１２と画像読取部１３が閉じた状態においては、ストッパ受け部１７の当接部１７ａとストッパ１００のトレイ当接部１００ｂとが当接し、排出トレイ１２の回動が規制されている。また、画像読取部１３が備えるストッパ当接部１３ｘとストッパ１００の当接部１００ｃとが当接し、ストッパ１００の回動が規制されている。従って、排出トレイ１２と画像読取部１３が閉じた状態においては、ストッパ１００は排出トレイ１２（開閉部材）が閉鎖位置から開放位置へ移動するのを規制する規制位置に位置し、これにより排出トレイ１２は閉じた状態で保持される。
【００２９】
＜排出トレイの開閉動作＞
次に、排出トレイ１２を開閉させる動作について説明する。まず、図４を用いて排出トレイ１２を開く動作を説明する。
【００３０】
図４（ａ）に示す様に、まず画像読取部１３を閉じた状態から矢印Ａ方向に回動させて開いた位置に移動させると、ストッパ当接部１３ｘがストッパ１００の当接部１００ｃと離間する。そうすると、ばね１５のＸ方向の付勢力によりストッパ１００が矢印Ｂ方向に回動し、トレイ当接部１００ｂも孔部１６内を矢印Ｂ方向に移動する。これにより、トレイ当接部１００ｂとストッパ受け部１７の当接部１７ａとが離間する。
【００３１】
トレイ当接部１００ｂとストッパ受け部１７の当接部１７ａとが離間すると、ストッパ１００による排出トレイ１２のロックが解除されて排出トレイ１２は開放可能な状態となる。すなわち、画像読取部１３が開く動作に連動して、ストッパ１００が排出トレイ１２を開放可能な状態にする位置（許容位置）に移動する。従って、図４（ｂ）に示す様に、排出トレイ１２を矢印Ｃ方向に回動させることで排出トレイ１２を開くことができる。
【００３２】
次に、排出トレイ１２と画像読取部１３を閉じる動作について説明する。
【００３３】
まず排出トレイ１２を閉じてから画像読取部１３を閉じる動作を説明する。この動作は、上記した開く動作と逆となる。すなわち、排出トレイ１２を閉じた後に画像読取部１３を閉じていくと、画像読取部１３のストッパ当接部１３ｘがストッパ１００の当接部１００ｃを押圧してストッパ１００が移動する。そして、画像読取部１３が閉じた位置まで移動すると、トレイ当接部１００ｂとストッパ受け部１７の当接部１７ａとが当接した状態となり、排出トレイ１２の回動が規制される。これにより排出トレイ１２は閉じた状態で保持される。
【００３４】
次に、図５を用いて画像読取部１３を閉じてから排出トレイ１２を閉じる動作を説明する。図５（ａ）に示す様に、まず画像読取部１３が閉じられると、ストッパ１００の当接部１００ｃが画像読取部１３のストッパ当接部１３ｘに押圧されて規制位置に移動する。この状態で排出トレイ１２を矢印Ｄ方向に回動させると、排出トレイ１２の備えるストッパ受け部１７の斜面１７ｂとトレイ当接部１００ｂとが当接する。
【００３５】
さらに排出トレイ１２を矢印Ｄ方向へ回動させると、図５（ｂ）に示す様に、トレイ当接部１００ｂは斜面１７ｂから力を受けて斜面１７ｂに沿うように移動していく。このとき、画像読取部１３のストッパ当接部１３ｘとストッパ１００の当接部１００ｃとが一時的に離間する。
【００３６】
さらに排出トレイ１２を矢印Ｄ方向に回動させて、排出トレイ１２を閉じた状態まで回動させると、図５（ｃ）に示す様に、ストッパ受け部１７が孔部１６の下方に移動する。そうすると、ばね１５のＸ方向の付勢力により、ストッパ１００は矢印Ｅ方向に回動する。そして、画像読取部１３のストッパ当接部１３ｘとストッパ１００の当接部１００ｃとが再度当接することで、ストッパ１００の回転が規制される。また、ストッパ１００が、回動が規制された位置にあるとき、トレイ当接部１００ｂとストッパ受け部１７の当接部１７ａとが当接した状態となる。これにより排出トレイ１２の回動が規制されて排出トレイ１２が閉じた状態で保持される。このように、ストッパ１００が規制位置に位置し且つ排出トレイ１２が開放位置にある状態から閉鎖位置に移動させると、ストッパ１００が規制位置から移動し、排出トレイ１２が閉鎖位置に到達すると、ストッパ１００が規制位置に戻る。図１２は、ストッパ１００が図５（ｃ）のポジションに位置する時の斜視図である。なお、図１２は排出トレイ１２及び画像読取部１３を省略したものである。前述したように、図５（ｃ）の状態の時、インターロックスイッチＩＲＳＷはＯＮしている（図１３参照）。
【００３７】
このように、ストッパ１００を画像読取部１３の移動と連動して移動可能な構成とすることで、小型のストッパ１００によりユーザが意図せずに排出トレイ１２が開かれることを防止できる。従って、ストッパ１００の製造コストを削減することができる。
【００３８】
また、ユーザが意図せず排出トレイ１２を開いてしまい、その結果として画像形成装置Ａが動作を停止することを防止でき、動作停止によるシートの滞留処理等も必要なくなる。
【００３９】
また、排出トレイ１２を開く方向に付勢する付勢力を有しない構成とすることで、画像読取部１３が開いた位置に移動したときに排出トレイ１２を閉じたままにすることができる。従って、排出トレイ１２上にシートがある場合にシートを容易に取り出すことができる。
【００４０】
また、ストッパ受け部１７に斜面１７ｂを設けたように、画像読取部１３が閉じていてストッパ１００が規制位置にある状態で排出トレイ１２が閉じた位置に移動可能な構成とすることで、画像読取部１３と排出トレイ１２のどちらを先に閉じてもよくなる。従って、ユーザは操作順を意識する必要がなくなり、ユーザビリティが向上する。
【００４１】
また、画像読取部１３を上下方向に移動可能な構成とすることで、水平方向に移動させる構成と比較して、排出トレイを開放可能な状態にするための作業スペースを小型化することができる。
【００４２】
また、前述したように、シートの排出方向ＳＤに対して直交する方向（図１において紙面に垂直な方向）において、インターロックスイッチＩＲＳＷの可動アーム部ＩＲＳＷａは、排出トレイ１２のシート積載領域Ｗｄの中央１２ｄｃよりもトレイ当接部１００ｂに近い位置に設けられている。これにより、可動アーム部ＩＲＳＷａがシート積載領域Ｗｄの中央１２ｄｃよりもトレイ当接部１００ｂから離れた位置に設けられている場合に比べて、インターロックスイッチＩＲＳＷが不用意にＯＦＦするのを抑制できる。本例のように、可動アーム部ＩＲＳＷａが、排出トレイ１２のシート積載領域Ｗｄよりもトレイ当接部１００ｂに近い位置に設けられていればより好ましい。
【００４３】
なお、本実施形態においては、ストッパ１００の付勢にばね１５を使用したが、本発明はこれに限られず、ストッパ１００の自重を利用しても同様の効果を得ることができる。
【００４４】
（第２実施形態）
次に、本発明の第２実施形態に係る画像形成装置Ａの構成について説明する。上記第１実施形態と説明の重複する部分については、同一の符号を付して説明を省略する。
【００４５】
＜ストッパ＞
まず、本実施形態に係るストッパ２００（ストッパ部材）の構成について説明する。図６（ａ）は排出トレイ１２が閉じた状態の画像形成装置Ａの斜視図であり、図６（ｂ）は排出トレイ１２近傍の拡大断面図である。
【００４６】
ストッパ２００は、図６に示す様に、ガイドボス２００ａを有し、画像形成装置Ａ本体に設けられたガイド孔１８と係合してスライド移動可能に構成されており、尚且つ、ばね１５（付勢手段）により矢印Ｙ方向に付勢されている。また、画像形成装置Ａ本体に設けられた孔部１６を貫通して設けられるトレイ当接部２００ｂを備える。また、画像読取部１３に設けられたストッパ当接部１３ｘと当接離間する当接部１００ｃを備える。また斜面２００ｄを有する。
【００４７】
図６（ｂ）に示す様に、排出トレイ１２と画像読取部１３が閉じた状態においては、ストッパ受け部１７の当接部１７ａとストッパ２００のトレイ当接部２００ｂとが当接し、排出トレイ１２の回動が規制されている。また、画像読取部１３が備えるストッパ当接部１３ｘとストッパ２００の当接部２００ｃとが当接し、ストッパ２００の移動が規制されている。従って、排出トレイ１２と画像読取部１３が閉じた状態においては、ストッパ２００は排出トレイ１２が閉鎖した状態を保持する規制位置に位置し、これにより排出トレイ１２は閉じた状態で保持される。
【００４８】
＜排出トレイの開閉動作＞
次に、排出トレイ１２を開閉させる動作について説明する。まず、図７を用いて排出トレイ１２が開く動作を説明する。
【００４９】
図７（ａ）に示す様に、まず画像読取部１３を閉じた状態から矢印Ａ方向に回動させると、ストッパ当接部１３ｘがストッパ２００の当接部２００ｃと離間する。そうすると、ばね１５のＹ方向の付勢力によりストッパ２００が矢印Ｇ方向にスライド移動し、トレイ当接部２００ｂも孔部１６内を矢印Ｇ方向に移動する。これにより、トレイ当接部２００ｂとストッパ受け部１７の当接部１７ａとが離間する。
【００５０】
トレイ当接部２００ｂとストッパ受け部１７の当接部１７ａとが離間すると、ストッパ２００による排出トレイ１２のロックが解除されて排出トレイ１２は開放可能な状態となる。すなわち、画像読取部１３が開く動作に連動して、ストッパ２００が排出トレイ１２を開放可能な状態にする位置に移動する。従って、図７（ｂ）に示す様に、排出トレイ１２を矢印Ｃ方向に回動させることで排出トレイ１２を開くことができる。
【００５１】
次に、排出トレイ１２と画像読取部１３を閉じる動作について説明する。
【００５２】
まず排出トレイ１２を閉じてから画像読取部１３を閉じる動作を説明する。この動作は、上記した開く動作と逆となる。すなわち、排出トレイ１２を閉じた後に画像読取部１３を閉じていくと、画像読取部１３のストッパ当接部１３ｘはストッパ２００の斜面２００ｄに沿うように下方に移動しながら当接部２００ｃを押圧してストッパ２００が移動する。そして、画像読取部１３が閉じた位置まで移動すると、トレイ当接部２００ｂとストッパ受け部１７の当接部１７ａとが当接した状態となり、排出トレイ１２の回動が規制される。これにより排出トレイ１２は閉じた状態で保持される。
【００５３】
次に、図８を用いて画像読取部１３を閉じてから排出トレイ１２を閉じる動作を説明する。図８（ａ）に示す様に、まず画像読取部１３が閉じられると、ストッパ２００の当接部２００ｃが画像読取部１３のストッパ当接部１３ｘに押圧されて規制位置に移動する。この状態で排出トレイ１２を矢印Ｄ方向に回動させると、排出トレイ１２の備えるストッパ受け部１７の斜面１７ｂとトレイ当接部２００ｂとが当接する。
【００５４】
さらに排出トレイ１２を矢印Ｄ方向へ回動させると、図８（ｂ）に示す様に、トレイ当接部２００ｂは斜面１７ｂから力を受けて斜面１７ｂに沿うように移動していく。このとき、画像読取部１３のストッパ当接部１３ｘとストッパ２００の当接部２００ｃとが一時的に離間する。
【００５５】
さらに排出トレイ１２を矢印Ｄ方向に回動させて、排出トレイ１２を閉じた状態まで回動させると、図８（ｃ）に示す様に、ストッパ受け部１７が孔部１６の下方に移動する。そうすると、ばね１５のＹ方向の付勢力により、ストッパ１００はガイド孔１８に沿うように矢印Ｈ方向に移動する。そして、画像読取部１３のストッパ当接部１３ｘとストッパ２００の当接部２００ｃとが再度当接することで、ストッパ２００の移動が規制される。また、ストッパ２００は、移動が規制された位置にあるとき、トレイ当接部２００ｂとストッパ受け部１７の当接部１７ａとが当接した状態となる。これにより排出トレイ１２の回動が規制されて排出トレイ１２が閉じた状態で保持される。
【００５６】
このように、ストッパ２００を画像読取部１３の移動と連動して移動可能な構成とすることで、小型のストッパ２００によりユーザが意図せずに排出トレイ１２が開かれることを防止できる。従って、ストッパ２００の製造コストを削減することができる。
【００５７】
また、ユーザが意図せず排出トレイ１２を開いてしまい、その結果として画像形成装置Ａが動作を停止することを防止でき、動作停止によるシートの滞留処理等も必要なくなる。
【００５８】
また、排出トレイ１２を開く方向に付勢する付勢力を有しない構成とすることで、画像読取部１３が開いた位置に移動したときに排出トレイ１２を閉じたままにすることができる。従って、排出トレイ１２上にシートがある場合にシートを容易に取り出すことができる。
【００５９】
また、ストッパ受け部１７に斜面１７ｂを設けたように、画像読取部１３が閉じていてストッパ２００が規制位置にある状態で排出トレイ１２が閉じた位置に移動可能な構成とすることで、画像読取部１３と排出トレイ１２のどちらを先に閉じてもよくなる。従って、ユーザは操作順を意識する必要がなくなり、ユーザビリティが向上する。
【００６０】
また、画像読取部１３を上下方向に移動可能な構成とすることで、水平方向に移動させる構成と比較して、排出トレイ１２を開放可能な状態にするための作業スペースを小型化することができる。
【００６１】
なお、本実施形態においては、ストッパ２００の付勢にばね１５を使用したが、ガイド孔１８に角度をつけてストッパ２００の自重で付勢するように構成しても同様の効果を得ることができる。
【００６２】
（第３実施形態）
次に、本発明の第３実施形態に係る画像形成装置Ａの構成について説明する。上記第１実施形態、第２実施形態と説明の重複する部分については、同一の符号を付して説明を省略する。
【００６３】
本実施形態においては、開閉部材として、プロセスカートリッジＰの着脱時に開閉するカートリッジドア２０を例示して説明する。
【００６４】
まず本実施形態の画像形成装置Ａの構成を説明する。図９に示す様に、画像形成装置Ａ本体には、画像読取部１３とカートリッジドア２０がそれぞれ回動可能に支持され、回動することで開閉する。そして、カートリッジドア２０を回動させて開いた状態にすることで、画像形成装置Ａ内部のプロセスカートリッジＰにアクセス可能となる。つまり、本実施形態のカートリッジドア２０は、画像形成装置Ａ本体に対して回動可能に支持され、回動することで開閉する開閉部材である。
【００６５】
また、画像読取部１３が閉じた位置に位置し、カートリッジドア２０が閉じた状態のとき、画像読取部１３とカートリッジドア２０とは干渉しないように設けられている。
【００６６】
また、図９（ｂ）に示す様に、カートリッジドア２０と手差しトレイ２１は一体となって回動することができる。
【００６７】
＜ストッパ＞
次に、本実施形態に係るストッパ３００（ストッパ部材）について説明する。図１０（ａ）は、カートリッジドア２０が閉じた状態のカートリッジドア２０近傍の拡大断面図である。
【００６８】
ストッパ３００は、図１０（ａ）に示す様に、画像形成装置Ａ本体によって回転軸１００ａを中心に回動可能に支持されており、尚且つ、不図示のばね（付勢手段）により付勢されている。また、画像形成装置Ａ本体に設けられた孔部１６を貫通して設けられるトレイ当接部３００ｂを有する。また、画像読取部１３に設けられたストッパ当接部１３ｘと当接離間する当接部３００ｃを備える。
【００６９】
また、カートリッジドア２０はストッパ受け部２２を備え、ストッパ受け部２２は、当接部２２ａと、斜面２２ｂ、斜面２２ｃを備える。
【００７０】
図１０（ａ）に示す様に、カートリッジドア２０と画像読取部１３が閉じた状態においては、ストッパ受け部２２の当接部２２ａとストッパ３００のトレイ当接部３００ｂとが当接し、カートリッジドア２０の回動が規制されている。また、画像読取部１３が備えるストッパ当接部１３ｘとストッパ３００の当接部３００ｃとが当接し、ストッパ３００の回動が規制されている。従って、カートリッジドア２０と画像読取部１３が閉じた状態においては、ストッパ３００はカートリッジドア２０が閉鎖した状態を保持する規制位置に位置し、これによりカートリッジドア２０は閉じた状態で保持される。
【００７１】
＜カートリッジドアの開閉動作＞
次に、カートリッジドア２０を開閉させる動作について説明する。まず、カートリッジドア２０が開く動作を説明する。
【００７２】
図１０（ｂ）に示す様に、まず画像読取部１３を閉じた状態から矢印Ａ方向に回動させると、ストッパ当接部１３ｘがストッパ３００の当接部３００ｃと離間する。そうすると、不図示のばねにより付勢されたストッパ３００が矢印Ｂ方向に回動し、トレイ当接部３００ｂも孔部１６内を矢印Ｂ方向に移動する。これにより、トレイ当接部３００ｂとストッパ受け部２２の当接部２２ａとが離間する。
【００７３】
トレイ当接部３００ｂとストッパ受け部２２の当接部２２ａとが離間すると、ストッパ３００によるカートリッジドア２０のロックが解除されてカートリッジドア２０は開放可能な状態となる。すなわち、画像読取部１３が開く動作に連動して、ストッパ３００がカートリッジドア２０を開放可能な状態にする位置に移動する。従って、図１０（ｃ）に示す様に、カートリッジドア２０を矢印Ｃ方向に回動させることでカートリッジドア２０を開くことができる。
【００７４】
次に、カートリッジドア２０と画像読取部１３を閉じる動作について説明する。
【００７５】
まずカートリッジドア２０を閉じてから画像読取部１３を閉じる動作を説明する。この動作は、上記した開く動作と逆となる。すなわち、カートリッジドア２０を閉じた後に画像読取部１３を閉じていくと、画像読取部１３のストッパ当接部１３ｘがストッパ３００のトレイ当接部３００ｂを押圧してストッパ３００が移動する。そして、画像読取部１３が閉じた位置まで移動すると、ストッパ３００はカートリッジドア２０が閉鎖した状態を保持する規制位置に移動し、トレイ当接部３００ｂとストッパ受け部２２の当接部２２ａとが当接した状態となる。これによりカートリッジドア２０は閉じた状態で保持される。
【００７６】
次に、図１１を用いて画像読取部１３を閉じてからカートリッジドア２０を閉じる動作を説明する。図１１（ａ）に示す様に、まず画像読取部１３が閉じられると、ストッパ３００の当接部３００ｃが画像読取部１３のストッパ当接部１３ｘに押圧されて規制位置に移動する。この状態でカートリッジドア２０を矢印Ｄ方向に回動させると、カートリッジドア２０の備えるストッパ受け部２２の斜面２２ｂとトレイ当接部３００ｂとが当接する。
【００７７】
さらにカートリッジドア２０を矢印Ｄ方向へ回動させると、図１１（ｂ）に示す様に、トレイ当接部３００ｂは斜面２２ｂから力を受けて斜面２２ｂに沿うように移動していく。このとき、画像読取部１３のストッパ当接部１３ｘとストッパ３００の当接部３００ｃとが一時的に離間する。
【００７８】
さらにカートリッジドア２０を矢印Ｄ方向に回動させると、図１１（ｃ）に示す様に、トレイ当接部３００ｂが斜面２２ｃに沿うように移動していく。また、不図示のばねの付勢力によりストッパ３００は矢印Ｅ方向に回動する。
【００７９】
さらにカートリッジドア２０を矢印Ｄ方向に回動させて、カートリッジドア２０を閉じた状態まで回動させると、図１１（ｄ）に示す様に、不図示のばねの付勢力により、ストッパ１００は矢印Ｅ方向に回動する。そして、画像読取部１３のストッパ当接部１３ｘとストッパ３００の当接部３００ｃとが再度当接することで、ストッパ３００の回動が規制される。また、ストッパ３００が、回動が規制された位置にあるとき、トレイ当接部３００ｂとストッパ受け部２２の当接部２２ａとが当接した状態となる。これによりカートリッジドア２０の回動が規制されてカートリッジドア２０が閉じた状態で保持される。
【００８０】
このように、ストッパ３００を画像読取部１３の移動と連動して移動可能な構成とすることで、小型のストッパ３００によりユーザが意図せずにカートリッジドア２０が開かれることを防止できる。従って、ストッパ３００の製造コストを削減することができる。
【００８１】
また、ユーザが意図せずカートリッジドア２０を開いてしまい、その結果として画像形成装置Ａが動作を停止することを防止でき、動作停止によるシートの滞留処理等も必要なくなる。
【００８２】
またストッパ受け部２２に斜面２２ｂを設けた様に、画像読取部１３が閉じていてストッパ３００が規制位置にある状態でカートリッジドア２０が閉じた位置に移動可能な構成とすることで、画像読取部１３とカートリッジドア２０のどちらを先に閉じてもよくなる。従って、ユーザは操作順を意識する必要がなくなり、ユーザビリティが向上する。
【００８３】
また、画像読取部１３を上下方向に移動可能な構成とすることで、水平方向に移動させる構成と比較して、カートリッジドア２０を開放可能な状態にするための作業スペースを小型化することができる。
【００８４】
なお、本実施形態では、ストッパ３００の付勢に不図示のばねを使用したが、ストッパ３００の自重を利用しても同様の効果を得ることができる。また、第２実施形態のストッパ２００と同様に、ガイド部材を設けてストッパ３００をガイド部材の案内に沿って移動させる構成としても同様の効果を得ることができる。
【符号の説明】
【００８５】
１２…排出トレイ
１３…画像読取部
１３ｘ…ストッパ当接部
１５…ばね
１７、２２…ストッパ受け部
１８…ガイド孔
２０…カートリッジドア
１００、２００、３００…ストッパ
２００ａ…ガイドボス
Ａ…画像形成装置
【図１】
2017167530.tif 000003
【図２】
2017167530.tif 000004
【図３】
2017167530.tif 000005
【図４】
2017167530.tif 000006
【図５】
2017167530.tif 000007
【図６】
2017167530.tif 000008
【図７】
2017167530.tif 000009
【図８】
2017167530.tif 000010
【図９】
2017167530.tif 000011
【図１０】
2017167530.tif 000012
【図１１】
2017167530.tif 000013
【図１２】
2017167530.tif 000014
【図１３】
2017167530.tif 000015
【図１４】
2017167530.tif 000016